(57)【要約】      （修正有）【課題】使用者の体に付けて使用され、使用者の座や立ち状態にかかわらず、使用を可能とした携帯用折り畳み読み書き台を提供する。【解決手段】携帯用折り畳み読み書き台は、体接触支持基板１１０と読み書き基板１２０とを備え、両者が直角状態で固定的に接続している構成、又は、両者の間に蝶番１３０を備えた構成、において、体接触支持基板は、使用者の体に接触する適度の接触面積を有していることで、使用者の体に安定に支持され、読み書き基板上に置かれる物体（紙など）に使用者の手又は指による所作の応力が効果的に伝えられるものとなっている。【選択図】図１
2019077067.tif 000002
【特許請求の範囲】
【請求項１】
体接触支持基板と読み書き基板と使用者の体に係累される支持帯とを備え、前記体接触支持基板の面は、使用者の体に接触する適度の接触面積を有していることで、前記使用者の前記体に安定に支持され、
前記前記体接触支持基板は、前記支持帯を取り付けるための支持帯取付部を有し、
前記読み書き基板は、前記体接触支持基板の面とは略直角状態且つ略水平な状態になった状態で使用され、
前記読み書き基板上の置かれる物体に前記使用者の手又は指による所作の応力が効果的に伝えられることで、所望の動作を可能としたことを特徴とする携帯用折り畳み読み書き台。
【請求項２】
前記体接触支持基板と前記読み書き基板とは、互いの面が略直角に固定的に接続していることを特徴とする請求項１記載の携帯用折り畳み読み書き台。
【請求項３】
前記体接触支持基板と読み書き基板の間に蝶番を備え、
前記蝶番は、前記体接触支持基板の端と前記読み書き基板の端の間に接続され、略直角に回転して止まることで、前記読み書き基板は、前記体接触支持基板に対して、閉じられた状態（両者の面が平行）から開くと、略直角に開いて略水平な状態で止まることを特徴とする請求項１記載の携帯用折り畳み読み書き台。
【請求項４】
前記蝶番は、前記開いた状態と前記閉じた状態の２つの状態で安定に固定され、途中の状態でぶらぶらする不安定の状態がないことを特徴とする請求項１又は請求項３に記載の携帯用折り畳み読み書き台。
【請求項５】
前記体接触支持基板の端と前記読み書き基板の少なくとも一方の板面の端に立ち上がった囲枠を備えたことで、前記読み書き基板上に収納される収容物が落下しないようにしたことを特徴とする請求項１から請求項４のいずれか１つに記載の携帯用折り畳み読み書き台。
【発明の詳細な説明】
【技術分野】
【０００１】
本発明は、携帯して体に接触した支持体に対して略直角に折り畳み可能な読み書き基板を備えた携帯用折り畳み読み書き台に関するものである。
【背景技術】
【０００２】
このような目的の装置としては、従来まで多くの提案を見いだせる。図７は、従来の提案を示す図である。７−Ａは、特許文献１に示されている。複数枚に折り畳めるクリップボードである。７−Ｂは、特許文献２に示されている。立ち状態が可能なクリップボードである。７−Ｃは、特許文献３に示されている。立ち状態が可能な書見台である。
どの例でも、台や机の上に置いたり、立てて使用される。どこにも置かずに使用するものの体に付けて使用されるものではない。特許文献４には、７−Ｄに示すものが示されている。これは、携帯機器を収納して開閉するホルダーであるが、ヒンジの開閉構造により、蓋部材（携帯機器が載る）が、基材に対して１８０°以上の角度で回転できる構成がしめされ、例えば、９０°のように途中で止めて使用するには、ヒンジ部自体の摩擦抵抗によるか、又は、蓋部材を適宜な位置に留まらせることのできるストッパー部材を別に設けるなどの施策が必要である記述が段落番号００３２にある。もともと、回転が１８０°以上の角度でできるものであるため、このような対応になるが、携帯機器を載せるためであれば、軽い押圧であるため、摩擦抵抗によっても保持できる。しかしながら、筆記の押圧のように押圧が大きいものでは、摩擦抵抗に抗して、回転してしまい用をなさない。回転しないように摩擦抵抗を大きくすると、今度は、回転する場合に容易ではない。
ストッパー部材を別に設けることは、この矛盾を回避するが、余分な手段を必要とする欠点がある。このような欠点があったため、簡単な構造でありながら特に筆圧にも耐えて、略９０°での保持が確実なものが望まれた。
【先行技術文献】
【特許文献】
【０００３】
【特許文献１】実用新案登録第３１４８９５２号
【特許文献２】実用新案登録第３１９１９６１号
【特許文献３】実用新案登録第３０１９９６４号
【特許文献４】特許第６１０６８１８号
【発明の概要】
【発明が解決しようとする課題】
【０００４】
本願においては、使用者の体に付けて使用され、直角に曲がり連結した２枚の板の一方の板面が身体に接して固定され、他方の板面で手又は指による所作の応力を読み書き基板が堅固に受け止めることで、応力を効果的に伝えることで、使用者の座や立ち状態にかかわらず、使用を可能とした携帯用折り畳み読み書き台を提供するものである。
【課題を解決するための手段】
【０００５】
本発明の携帯用折り畳み読み書き台は、体接触支持基板と読み書き基板とを備え、両者が直角状態で固定的に接続している構成、又は、両者の間に蝶番を備えた構成、において、
体接触支持基板は、使用者の体に接触する適度の接触面積を有していることで、使用者の体に安定に支持され、蝶番が無い構成では、そのまま使用され、
蝶番がある構成では、蝶番は、体接触支持基板の端と読み書き基板の端の間に接続され、略直角に回転して止まることで、読み書き基板は、体接触支持基板に対して、閉じられた状態（両者の面が平行）から開くと、略直角に開いて略水平な状態で止まり、両構成の場合とも、読み書き基板上に置かれる物体（紙など）に使用者の手又は指による所作の応力が効果的に伝えられるものとなっている。
以下、請求項に沿って記述する。
【０００６】
請求項１記載の発明は、携帯用折り畳み読み書き台であって、
体接触支持基板と読み書き基板と使用者の体に係累される支持帯とを備え、前記体接触支持基板の面は、使用者の体に接触する適度の接触面積を有していることで、前記使用者の前記体に安定に支持され、
前記前記体接触支持基板は、前記支持帯を取り付けるための支持帯取付部を有し、
前記読み書き基板は、前記体接触支持基板の面とは略直角状態且つ略水平な状態になった状態で使用され、
前記読み書き基板上の置かれる物体に前記使用者の手又は指による所作の応力が効果的に伝えられることで、所望の動作を可能としたことを特徴とする。
【０００７】
請求項２記載の発明は、請求項１記載の携帯用折り畳み読み書き台において、
前記体接触支持基板と前記読み書き基板とは、互いの面が略直角に固定的に接続していることを特徴とする。
【０００８】
請求項３記載の発明は、請求項１記載の携帯用折り畳み読み書き台において、
前記体接触支持基板と読み書き基板の間に蝶番を備え、
前記蝶番は、前記体接触支持基板の端と前記読み書き基板の端の間に接続され、略直角に回転して止まることで、前記読み書き基板は、前記体接触支持基板に対して、閉じられた状態（両者の面が平行）から開くと、略直角に開いて略水平な状態で止まることを特徴とする。
【０００９】
請求項４記載の発明は、請求項１又は請求項３に記載の携帯用折り畳み読み書き台において、前記蝶番は、前記開いた状態と前記閉じた状態の２つの状態で安定に固定され、途中の状態でぶらぶらする不安定の状態がないことを特徴とする。
【００１０】
請求項５記載の発明は、請求項１から請求項４のいずれか１つに記載の携帯用折り畳み読み書き台において、
前記体接触支持基板の端と前記読み書き基板の少なくとも一方の板面の端に立ち上がった囲枠を備えたことで、前記読み書き基板上に収納される収容物が落下しないようにしたことを特徴とする。
【発明の効果】
【００１１】
以上の様に構成されているので、本発明による携帯用折り畳み読み書き台では、読み書き基板を折り畳み状態では、コンパクトな状態で、持ち運びに便利であり、読み書き基板を折り畳み状態からの開きを行って使用状態にしたときは、略直角にしか開かず、従って、開いた読み書き基板上に置かれた紙やパーソナルコンピュータや、ＩＰＡＤ、スマーフォーンなどに手又は指による所作の応力を加えても、応力が効果的に伝えられ、所望の動作をすることができる。
【図面の簡単な説明】
【００１２】
【図１】本発明にかかる携帯用折り畳み読み書き台の一実施態様を示す図である。
【図２】本発明にかかる本発明にかかる携帯用折り畳み読み書き台の使用状態の実施態様を示す図である。
【図３】本発明にかかる携帯用折り畳み読み書き台の読み書き基板を折り畳み自在に取り付ける体接触支持基板の実施態様を示す図である。
【図４】本発明にかかる携帯用折り畳み読み書き台の他の実施態様を示す図である。
【図５】本発明にかかる携帯用折り畳み読み書き台の他の実施態様を示す図である。
【図６】本発明にかかる携帯用折り畳み読み書き台の他の実施態様を示す図である。
【図７】従来の提案を示す図である
【発明を実施するための形態】
【００１３】
図１は、本発明にかかる携帯用折り畳み読み書き台の一実施態様を示す図である。
携帯用折り畳み読み書き台は、体接触支持基板と読み書き基板が、略直角に回転して止まる蝶番により、双方の端で接続された構成をもち、体接触支持基板は、紐、ベルトなどで使用者の体に接触して支持される。体接触支持基板に対して、読み書き基板が閉じられた状態（両者の面が平行）から、開くと略直角に開いて止まり、それ以上は開かずに、読み書き基板が水平な状態でしっかり固定されるので、読み書き基板上の物体（紙など）に手又は指による所作の応力を加えても、応力が効果的に伝えられ、所望の動作をすることができる。これは、体接触支持基板が体にしっかり支持されているため、従って、読み書き基板も応力を受け止めるほど安定な状態を保つからである。
１−Ｂにおいて、携帯用折り畳み読み書き台１００は、体接触支持基板１１０と読み書き基板１２０と両者の間を繋ぐ蝶番１３０を備えている。体接触支持基板１１０は、この図のようにＬ字型に曲がった端を持っていて、このＬ字端１１１と読み書き基板１２０の端に蝶番１３０が付いている。蝶番１３０は、まっすぐ開いた状態から略直角に曲がるものであり、特にスライド蝶番は、開いた状態と曲がった（閉じた）状態の２つの状態で安定に固定され、途中の状態でぶらぶらする不安定の状態がないので都合がよい。体接触支持基板１１０は、図示しない紐、ベルトなどで使用者の体に接触させた状態で使うので、体接触で安定状態を保つには、適度の接触面積をもつ基板である。体接触支持基板１１０には、紐、ベルト等の支持帯をつける穴、ベルクロ等の支持帯取付部１１２を備える。読み書き基板１２０には、この例では、読み書き基板１２０に載せる紙等を挟む紙鋏１２１が示されている。尚、１−Ｂの状態は、体接触支持基板１１０と読み書き基板１２０が開かれた状態で、この状態で使用できる。１−Ａには、体接触支持基板１１０に対して読み書き基板１２０が開かれた状態と閉じた状態を両方示している。
１−Ｃは、閉じた状態を示している。閉じた状態では、体接触支持基板１１０の体に接触する面と読み書き基板１２０の面は略平行になっている。
【００１４】
図２は、本発明にかかる本発明にかかる携帯用折り畳み読み書き台の使用状態の実施態様を示す図である。２−Ａでは、体接触支持基板１１０と読み書き基板１２０が開かれた状態である。２−Ｂでは、体接触支持基板１１０と読み書き基板１２０が閉じた（折り畳んだ）状態である。体接触支持基板１１０の支持帯取付部１１２には、支持帯１４０が付けられ、この図では使用者の首に掛けられている。この図では、携帯用折り畳み読み書き台１００が、使用者のお腹の辺りに描かれているが、むしろ、脇腹に当った状態が使いやすい。体接触支持基板１１０の面が、使用者の体に適度の接触面積であたるので、体接触支持基板１１０は安定に保持される。それゆえ、読み書き基板１２０も安定して、２−Ａのように、使用者が、例えば、読み書き基板１２０の紙１５０に筆記する応力を加えても、応力が効果的に伝えられ、筆記できる。２−Ｂでは、折り畳んだ状態で、小さい容積なので、持ち運びが容易である。持ち運びには、携帯用折り畳み読み書き台１００が、使用者のお尻側にある方に回した状態が都合がよい。
【００１５】
図３は、本発明にかかる携帯用折り畳み読み書き台の読み書き基板を折り畳み自在に取り付ける体接触支持基板の実施態様を示す図である。３−Ａにおいて、体接触支持基板１１０は、図１、図２に示したもので、体接触面は、平板状であった。３−Ｂでは、これを体の曲面に応じて曲面としたものである。体接触支持基板１１０を大きくした場合に都合がよい。しかしながら、３−Ｂの平面でも十分使用できる。３−Ｃには、支持帯取付部１１２に取り付けた支持帯１４０が、上側に引き出した状態、３−Ｄでは横に引き出した状態を示す。３−Ｃでは、図２のように首に掛けた使用に都合がよい。３−Ｄでは、腰にベルトを締めて使う場合に都合がよい。
【００１６】
図４は、本発明にかかる携帯用折り畳み読み書き台の他の実施態様を示す図である。
図１、図２との違いは、本質的には違いはない。読み書き基板１２０と略同じ程度に、体接触支持基板１１０の板面が大きいものである。
４−Ａでは、板面が大きいだけである。４−Ｂでは、体接触支持基板１１０と読み書き基板１２０の少なくともいずれか一方に、板面の端に立ち上がった囲枠４１０を持ったものである。この例では、体接触支持基板１１０では、囲枠４１０は四囲を囲んでいる。読み書き基板１２０の方は、囲枠４１０は、１つの端のみになっている。体接触支持基板１１０と書き基板１２０の両方に囲枠４１０がある場合は、干渉せず互いに嵌る位置に作られる方がよい。勿論、ぶつかった状態でも構成できる。
【００１７】
図５は、本発明にかかる携帯用折り畳み読み書き台の他の実施態様を示す図である。
図４の４−Ｂの応用である。５−Ａでは、読み書き基板１２０の周囲の端に囲枠４１０が囲んである。体接触支持基板１１０にも囲枠４１０があるが、こちらは、補助的であり、無いことも可能である。囲枠４１０により、囲まれた箱形状部には、収納物を固定して落下しないようにできるので都合がよい。例えば、パーソナルコンピュータや、アイパッド、スマートフォン、書籍などが収納できる。５−Ｂには、収納物５１０がある状態、５−Ｃには、収納物の蓋（カバー）を開いた状態を示している。例えば、パーソナルコンピュータをカバー５２０を開いた状態を示す。図２で示したように、体に掛けた状態でパーソナルコンピュータを操作できるわけである。
【００１８】
図６は、本発明にかかる携帯用折り畳み読み書き台の一実施態様を示す図である。
今までは、体接触支持基板と読み書き基板の間に、蝶番を備えた構成であったが、図６の６−Ａでは、体接触支持基板１１０と読み書き基板１２０が直角状態で固定的に接続している構成を示す。６−Ｂでは、使用者の身体に下げて使用してる状態を示す。
図１の場合と比べて、蝶番はなく、体接触支持基板１１０と読み書き基板１２０が固定的に繋がっている。６−Ｃでは、体接触支持基板１１０の板面が体に当らない状態にしてやると、読み書き基板１２０が体に並行になるので、持ち運びなど使用しない状態の図である。
【産業上の利用可能性】
【００１９】
以上のように本発明の携帯用折り畳み読み書き台では、通常机などの平らなものに載せて使うべきものが、使用者が座ったり、立った状態や歩いている状態でも使用することができる携帯用折り畳み読み書き台を提供するので、産業上利用して極めて好都合である。
【００２０】
１００  携帯用折り畳み読み書き台
１１０  体接触支持基板
１１１  Ｌ字端
１１２  支持帯取付部
１２０  読み書き基板
１２１  紙鋏
１３０  蝶番
１４０  支持帯
１５０  紙
４１０  囲枠
５１０  収納物
５２０  カバー
【図１】
2019077067.tif 000003
【図２】
2019077067.tif 000004
【図３】
2019077067.tif 000005
【図４】
2019077067.tif 000006
【図５】
2019077067.tif 000007
【図６】
2019077067.tif 000008
【図７】
2019077067.tif 000009